Podtech/llm-jp-corpus-v4-ja_patent huggingface dataset:
(57)【要約】【課題】特に化粧リップ製品のための塗布具を提供する。【解決手段】ロッドと、ロッドの縦軸に斜めに延びる比較的柔らかい材料でできた塗布面とを有する化粧品のための塗布具において、当該塗布面（２０）が互いに平行に配置された複数のコーン（２４）で形成され、偽の外側面とコーン（２４）の高さが１０〜６０ｍｍ３の比較的高い粘性の化粧品の塗布量を定める。【選択図】図１
2007044500.tif 000002
【特許請求の範囲】
【請求項１】
ロッドと、ロッドの縦軸に斜めに延びる比較的柔らかい材料でできた塗布面とを有する、当該塗布面が互いに平行に配置された複数のコーンで形成された化粧品のための塗布具であって、
塗布面（２０）が、比較的硬い合成材料でできた保持要素（１６）の上に延びる柔らかい材料でできた塗布具前部分（１７）に形成され、
当該保持要素（１６）がロッド（１２’）のキャビティに挿入され、
塗布具前部分（１７）とロッド（１２’）の外形が濃淡なく互いに変化する塗布具。
【請求項２】
塗布面（２０）が、保持要素（１６）を越えて延びる柔らかい材料でできた塗布具前部分（１７）に形成されることを特徴とする請求項１に記載の塗布具。
【請求項３】
保持要素（１６）が比較的硬い合成材料で形成されることを特徴とする請求項２に記載の塗布具。
【請求項４】
保持要素（１６）がロッド（１２’）のキャビティに挿入されることを特徴とする請求項２に記載の塗布具。
【請求項５】
ロッド（１２’）のキャビティが基部に向かってほぼ円錐形にテーパがつき、圧入により保持要素（１６）を収容することを特徴とする請求項４に記載の塗布具。
【請求項６】
塗布具前部分（１７）は、挿入したときにロッド（１２’）の前面に着座する末端環状ショルダーを有することを特徴とする請求項１に記載の塗布具。
【請求項７】
コーン（２４）の長さが約１ｍｍであることを特徴とする請求項１に記載の塗布具。
【請求項８】
１０〜１００、好ましくは約５０のコーン（２４）が設けられることを特徴とする請求項１に記載の塗布具。
【請求項９】
ロッド（１２’）が化粧剤を収容する容器（５）の閉じキャップに配置されることを特徴とする請求項１に記載の塗布具。
【請求項１０】
請求項１〜９のいずれか一項に記載の塗布具を有する化粧ユニット。
【発明の詳細な説明】
【技術分野】
【０００１】
本発明は、ロッドと、ロッドの縦軸に斜めに延びる比較的柔らかい材料でできた塗布面とを有する化粧品のための塗布具に関する。当該塗布面は、互いに平行に配置された複数のコーンで形成されている。
【背景技術】
【０００２】
このタイプの塗布具は特許文献１から知られている。
【０００３】
【特許文献１】ＵＳ２００２／００４８４８２Ａ
【発明の開示】
【発明が解決しようとする課題】
【０００４】
これを出発点として、本発明は特に化粧リップ製品のための塗布具を作ることを目的とする。その塗布面は、化粧剤が肌のしわなどに入り込むように作られ、その治療効果を高めることができ及び／又は一様なカラーリングも提供する一方で同時に最適な拭き動作を保証する。
【課題を解決するための手段】
【０００５】
この目的は本発明により、塗布面が、比較的硬い合成材料で作られた保持要素の上に延びる柔らかい材料でできた塗布具前部分に設けられ、当該保持要素はロッドのキャビティに挿入され、塗布具前部分とロッドの外形が濃淡なく互いに変位することで達成される。
【０００６】
これらコーンは自由端によって塗布面を画定する。それらはある弾性と移動性を有し、ゆえにコーンの間及び／又は塗布面の縁内に蓄えられた化粧剤をしわ及び凸凹領域にマッサージして塗ることができる。
【０００７】
塗布具とロッドの本発明による結合の結果、外面のグラデーション（濃淡）が防がれ、問題のない拭き動作が可能になる。
【０００８】
保持要素はロッドのキャビティに挿入され、このキャビティは基部に向かってほぼ円錐形にテーパがつき、圧入（プレスフィット）により保持要素を収容すると有利である。
【０００９】
塗布具前部分は、挿入したときロッドの前面に着座する末端環状ショルダーを有する。
【００１０】
コーンの長さは約１ｍｍ、１０〜１００、好ましくは約５０のコーンが設けられると有利である。
【００１１】
ロッドは、化粧剤を収容する容器の閉じキャップに本質的に知られた手法で配置される。
【００１２】
本発明は前記のタイプの塗布具を有する化粧ユニットにも関する。
【００１３】
本発明を図面に関連して好ましい実施形態により以下により詳細に説明する。
【発明を実施するための最良の形態】
【００１４】
図面に示された化粧ユニット１は、容器２のテーパーネック５に形成された外側ねじ山４にねじ込まれるねじ込みキャップ３を具備した容器２を有する。
【００１５】
末端部にワイパーリップ７を備えたワイパーユニット６が容器ネック５に挿入されている。ワイパーユニット６は容器ネック５の前面にわたって延び、このようにして、ねじ込みキャップ３がねじ込まれるとその前面９に当接するシール８を同時に形成する。
【００１６】
ワイパーユニット６は、容器ネック５の内側にある対応する環状溝１２に係合する環状ビード１１を有した異なる合成材料でできた外側位置決め延長部１０を有する。
【００１７】
横壁１４でシールされた内側縦キャビティ１３を有するロッド１２’が、ねじ込みキャップ３と一体部品として射出成形される。
【００１８】
ロッド１２’の末端部に形成されているのは、保持要素１６が挿入される内側に円錐形にテーパのついたキャビティ１５である。保持要素１６は塗布具前部分１７の対応するキャビティ１９に係合する球形厚み部１８を有しており、保持要素に、柔らかめの合成材料でできた塗布具前部分１７が固定されている。
【００１９】
塗布具前部分１７の塗布面２０はロッド１２’の縦軸２１に対して斜めに延び、内側に僅かに凹形にアーチ状になっている。塗布面は設計された縁２２で境界を定められている。
【００２０】
縁２２は、互いに平行に配置された複数のコーン２４が配置されたキャビティ２３を囲む。コーンは塗布具前部分１７と一体部品として射出成形され、その外側自由端は塗布面２０を画定する。
【図面の簡単な説明】
【００２１】
【図１】本発明の塗布具を備えた化粧ユニットを通る縦断面図である。
【図２】塗布具前部分及び塗布面の斜視図である。
【符号の説明】
【００２２】
１  化粧ユニット
２  容器
３  ねじ込みキャップ
４  外側ねじ
５  テーパーネック
６  ワイパーユニット
７  ワイパーリップ
８  シール
９  前面
１０  外側位置決め延長部
１１  環状ビード
１２  環状溝
１２’  ロッド
１３  キャビティ
１４  横壁
１５  キャビティ
１６  保持要素
１７  塗布具前部分
１８  球形厚み部
１９  キャビティ
２０  塗布面
２１  縦軸
２２  縁
２３  キャビティ
２４  コーン
【図１】
2007044500.tif 000003
【図２】
2007044500.tif 000004
(57)【要約】      （修正有）【課題】通常、点鼻薬の効果があるのは２，３時間ですが、睡眠時や風邪等の病床の時には、効果時間が短すぎ途中で再投与が必要であり、その為安眠できず、不快です。又、鼻が完全に詰まってしまうと、元の状態に戻るのに時間がかかります。睡眠時や風邪等の病床の時に、長時間薬の効果が出せ、使用し易いよう安価で、小さい薬液投与容器を提供する。【解決手段】薬液容器DからU字型クリップAまで、布地等を使用し、その毛細管現象及び表面張力を利用して点鼻薬を長時間少量ずつ投与し続ける事により、効果を持続させる薬液投与システム。薬液量が調整出来、７．８時間の使用も可能であり、且つ少量づつ薬液を流すので、使用量も少なく、薬液容器も小さく出来る。【選択図】図１
2007044472.tif 000002
【特許請求の範囲】
【請求項１】
［図１］Ｄの薬液容器からＡのＵ字型クリップまで、毛細管現象及び表面張力を利用して薬液を運ぶ点鼻薬供給システムである事。
【請求項２】
Ｕ字型クリップのリード及びＵ字部が、毛細管現象及び表面張力を現象せしめる布、紙、合成繊維等で出来ている事。
【請求項３】
鼻頭の外皮に接するＵ字型クリップ中央部、及びリード部は、ビニール等の合成繊維でカバーされている事。
【請求項４】
［図１］Ｄの薬液容器からＡのＵ字型クリップまで、毛細管現象及び表面張力を利用した点鼻薬供給量は、薬液容器Ｅのキャップ部の絞りにより流量調整機能を有した点鼻薬供給システムで゛ある事。
【請求項５】
［図５］Ｋの保水帯が布、紙、合成繊維等で出来ていて、薬液を蓄える能力があり、袋Ｌが柔らかな、薬液対応のビニール等の合成樹脂袋で出来た薬液供給袋である事。
【発明の詳細な説明】
【技術分野】
【０００１】長時間、点鼻薬を投与する為の投薬セットです。
［背景技術］
全体としての背景技術はありません。
［発明の開示］
［発明が解決しようとする課題］【０００２】通常点鼻薬の効果があるのは２，３時間です。
睡眠時や風邪等の病床の時には、効果時間が短すぎ途中で再投与が必要です。安眠できず、又、鼻が完全に詰まってしまうと、元の状態に戻るのに時間がかかります。
睡眠時や風邪等の病床の時には、長時間薬の効果が出せる必要があります。
［課題を解決するための手段］【０００３】点鼻薬を長時間少量ずつ投与し続ける事により、効果を持続させます。薬液容器から患部まで布、紙、合成繊維等で出来たリードでつなぎ、その毛細管現象及び表面張力を利用して、少量ずつ長時間薬液を投与します。
［発明を実施する為の最良の形態］【０００４】投薬は鼻腔内内側、鼻柱隔に沿って行う方式とします。図１ＡのＵ字型クリップは布、紙、合成繊維等で出来ています。Ｕ字型クリップを鼻孔にはめる形態で、図１ＢのＵ字の両先端及び内側が鼻柱隔に付くようにします。その触れた部分から薬液を少量ずつ流します。【０００５】図１ＨのＵ字型クリップの中央には、薬液導入用のリードが付いています。又、Ｕ字型クリップの芯は針金状のもので出来ていますので、挟み具合を調整出来ます。【０００６】図１ＧのＵ字型クリップの中央の鼻頭等の外皮に触れる部分は、薬液に触れる事の無いよう、カバーで覆います。【０００７】図１Ｄの薬液容器は、薬液が貴重なのでロスが少ないようにすぐ近くの鼻頭にセットします。又、鼻頭にセットするので必要最小限の大きさにします。【０００８】図１Ｄの薬液容器に薬液導入用のリードを浸し、薬液容器から毛細管現象及び表面張力を利用して、リード経由で薬液をＵ字クリップまで流します。【０００９】薬液容器からの薬液量を図１Ｅのつまみでリードの図１Ｆ部を絞って流量を調整します。【００１０】図１のＣは貼り付けテープです。これで鼻頭に張ります。【００１１】より小型な薬液容器としては、図２の保水能力のある袋状のものを使用します。図２のＫは布、紙、合成繊維等を折りたたんで薬液を保水します。【００１２】図２のＩはクリップです。液漏れ防止及び流量を絞ります。【００１３】図２のＪは貼り付けテープです。これで鼻頭に張ります。小さく薄いので張り易く目立ちません。
［発明の効果］
安眠出来ます。
長時間薬が効くので、睡眠中に不快な鼻づまりで眼が覚める回数が減ります。
症状を軽減します。
完全に鼻づまりしてしまうと、薬を再投与しても、鼻づまりが直るのに時間がかかりますが、少量づつでも、薬を投与しつづけるのでそういうことがありません。
薬の投与が楽です。
就寝途中、噴霧での薬の再投与は面倒です。完全に置き上がらない状態で使用するのは難しく、眼も覚めますが、これを使用すれば、そういう事も少なくなります。
セットが楽です。
薬液容器を小さく作りましたので、鼻頭にテープで止めるだけで良く、邪魔になりません。鼻孔へのセットはクリップを差し込むだけです。
もっと小さいのが希望の時は、袋状の薬液容器を使用します。その場合、押さえテープをバンドエイド状の物を使用すれば薬液容器が目立たず、見た目の抵抗も減ります。
薬液量の調整が出来ます。
薬液容器の蓋ツマミを絞る事で、薬液量が調整出来ます。
【図面の簡単な説明】
【００１４】［図１］  使用形態図１
薬液容器から薬液を供給する場合の実際の使用図です。
［図２］  使用形態図２
袋薬液容器から薬液を供給する場合の実際の使用図です。
［図３］  薬液容器１
薬液容器の上部からの図及び左側面図です。
透明のものです。
［図４］  Ｕ字クリップ
Ｕ字クリップの上部からの図及び右側面図です。
［図５］  袋薬液容器
使用形態図２に使用の袋薬液容器です。
【図１】
2007044472.tif 000003
【図２】
2007044472.tif 000004
【図３】
2007044472.tif 000005
【図４】
2007044472.tif 000006
【図５】
2007044472.tif 000007
(57)【要約】【課題】  お好み焼き等の大番なものを焼いていて、簡単に上手く裏返すことが出来るフライ返しを提供する。【解決手段】  フライ返し（１）の先端（２）の形状を平板状の円形にし、その円形の中に穴（５）をあけることを特徴とする。【選択図】  図１
2007044477.tif 000002
【特許請求の範囲】
【請求項１】
フライ返し（１）の先端（２）の形状が平板状の円形であり、その円形の中に穴（５）をあけた、お好み焼き用フライ返し。
【発明の詳細な説明】
【技術分野】
【０００１】  本発明は、先端が平板状の円形であり、その円形の中央に円形の穴を１つあけた、調理用のフライ返しに関するものである。
【背景技術】
【０００２】  従来、お好み焼きをフライパン等で焼いていて裏返す時はフライ返しを使用していた。
【発明の開示】
【発明が解決しようとする課題】
【０００３】  しかし、従来から広く使用されているフライ返しは、フライ返しの先端部分がお好み焼きより小さすぎる為、お好み焼きを裏返す時に使用しても不安定ですくい上げにくいので上手く出来ず失敗してしまうことがあった。【０００４】  また、フライ返しを両手に１つずつ持って左右両方からすくい上げて裏返す方法もあるが、この方法にも次のような欠点があった。【０００５】  （イ）小さなフライパンで焼いている場合は裏返すのが難しかった。【０００６】  （ロ）フライ返しを２つも使用しなければならなかった。【０００７】  （ハ）調理後の洗い物が増えて面倒であった。【０００８】  本発明は、以上のような欠点を除くために発明されたものである。
【課題を解決するための手段】
【０００９】  フライ返し（１）の先端（２）の形状を平板状の円形にし、その円形の円周はお好み焼きをしっかりと安定してすくい上げることが出来る大きさにする。そしてその円形の中央に円形の穴（５）を１つあける。【００１０】  本発明は以上の様な構成よりなるお好み焼き用フライ返しである。
【発明の効果】
【００１１】  本発明はこの様な構成であるから、お好み焼きを裏返す際、お好み焼きの重みでフライ返しの先端の中央にあけた穴にお好み焼きの中心部分が少し下がる為、お好み焼きをしっかりと安定してすくい上げることが出来、そして簡単に上手く裏返すことが出来るので従来の様な失敗をする心配がなくなり、安心して調理することが出来るのである。【００１２】  また、本発明であると、フライ返しが１つだけで済むので、小さなフライパンで焼いている場合であっても簡単に裏返すことが出来、更に調理後の洗い物も減るので助かるのである。
【発明を実施するための最良の形態】
【００１３】  以下、本発明の実施の形態について説明する。【００１４】  図１、図２、図３は本発明に係るフライ返し（１）を示したものである。【００１５】  このフライ返し（１）の先端（２）の形状は平板状の円形にする。そして、先端（２）と柄（３）との境目（４）を少し折り曲げて使い易くする。【００１６】  尚、必ずしも境目（４）を折り曲げる必要はなく、先端（２）と柄（３）とが水平な状態であってもよい。【００１７】  このフライ返し（１）の先端（２）の円形の円周は、お好み焼きをしっかりと安定してすくい上げることが出来る大きさにする。そしてその円形の中央に円形の穴（５）を１つあける。【００１８】  以上の様な構成にすることで、お好み焼きを裏返す際、お好み焼きの重みでフライ返し（１）の先端（２）の中央にあけた穴（５）にお好み焼きの中心部分が少し下がる為、お好み焼きをしっかりと安定してすくい上げることが出来、そして簡単に上手く裏返すことが出来るので、従来の様な失敗をする心配がなくなり安心して調理することが出来るのである。【００１９】  尚、フライ返し（１）の先端（２）にあける穴（５）の場所は、中央に限らず先端（２）のどの場所であってもよい。【００２０】  また、フライ返し（１）の先端（２）にあける穴（５）の形は、円形に限らずどの様な形であってもよい。【００２１】  更に、フライ返し（１）の先端（２）にあける穴（５）の数は、１つに限らず複数であってもよい。【００２２】  本発明に係るフライ返し（１）は、お好み焼きに限らず他の大番なものを焼いていて裏返す際にも使用することが出来る。
【図面の簡単な説明】
【００２３】
【図１】  本発明の斜視図である。
【図２】  本発明の側面図である。
【図３】  図２の断面図である。
【図４】  従来のフライ返しの斜視図である。
【符号の説明】
【００２４】    １．  フライ返し
２．  先端
３．  柄
４．  境目
５．  穴
【図１】
2007044477.tif 000003
【図２】
2007044477.tif 000004
【図３】
2007044477.tif 000005
【図４】
2007044477.tif 000006
(57)【要約】【課題】樹脂粘土、紙粘土、粘土等を使用して、手作り又は、型で自動で製作した花、又は草、玩具等に暗闇で光る蓄光塗料を塗布又は含有した花、草、玩具等をつくり、蓄光塗料で夜光る粘土を提供する。【解決手段】樹脂粘土、紙粘土、粘土等を設け、手作り又は型をもって製作し、その製作した各粘土に市販の蓄光塗料を塗布し、部屋の中、通路、庭等に設置し、鑑賞用、危険防止用、常備灯、誘導灯として利用できることを特徴とする。【選択図】  図１
2007044473.tif 000002
【特許請求の範囲】
【請求項１】
樹脂粘土、紙粘土、粘土等を設け、手作り又は型を使用して自動で花、草、玩具等を製作し、その表面に蓄光塗料を塗布することを特徴とする。
【請求項２】
樹脂粘土、紙粘土、粘土等を設け、その各粘土に蓄光塗料の粉末を混錬し手製又は型を使用し自動で花、草、玩具等を製作した事を特徴とする請求項１記載の蓄光塗料で夜光る粘土。
【請求項３】
各種粘土で製作した、花、草、小さな木、玩具、置物、おもちゃ等に蓄光塗料を塗布、又は粉末を混錬した請求項１〜２記載の蓄光塗料で夜光る粘土。
【発明の詳細な説明】
【技術分野】
【０００１】  本発明は、樹脂粘土、紙粘土、粘土を用い手作業又は型を用いて自動で製作された、花、草、玩具等を設け、その製作された花、草、玩具等の形状の粘土に光の照射を受けると暗闇で発光する蓄光塗料を塗布した花、草、玩具等に関するものである。
【背景技術】
【０００２】  従来、樹脂粘土、紙粘土、粘土等があり、主に幼児や児童、特に低学年での学校等の教材としての粘土遊び又は主婦の手芸・工芸用として広く使用されている。しかし、各種製作された手製又は自動で製作された粘土に蓄光塗料を塗布したものは見当たらない、粘土としては次のようなものがある。例えば、実登３０２７５０１号公報、特許３０７６５４７号公報等がある。
【発明の開示】
【発明が解決しようとする課題】
【０００３】  それには次のような問題点があった。
（イ）樹脂粘土、紙粘土、粘土でいろいろの形状の花、草、玩具を製作し、蓄光塗料          を塗布して暗い部屋で長時間光り作品の位置、部屋の様子がなんとなく見えて          歩いても危険を感じないような花、草、玩具等はない。
（ロ）電源を使用しないで室内の暗闇の中で光るものは少なく、各種粘土で手製又は          型を使用して製作した花、草、玩具に蓄光塗料を塗布したものはない。
（ハ）暗闇の部屋は、歩くのに危険なため、常夜灯、乾電池等があり、これに変わる          もの８５２０／はない。
本発明は、以上の問題点を解決するためのものである。
【問題を解決するための手段】
【０００４】  樹脂粘土、紙粘土、粘土等を設け、花、草、玩具等を手製又は型を用いて自動で製作し、その製作した製品に市販されている蓄光塗料を塗布する。これにより，暗闇の部屋で蓄光塗料が発光し、花、草、玩具等が明るく光り危険がない。以上を特徴とする蓄光塗料で夜光る粘土である。
【発明の効果】
【０００５】  蓄光塗料を塗布した花、草、玩具等を暗闇の部屋、庭の通路等に設置することで、蓄光塗料が発光し、周囲が明るくなり、歩行の際危険なく、緊急時の避難・誘導用又は鑑賞用、装飾品として効果がある。
【発明を実施するための最良の形態】
【０００６】  以下、実施の形態を説明する。
（イ）樹脂粘土、紙粘土、粘土等を設ける。
（ロ）各種粘土で手作り又は型で花、草、玩具等を製作する。
（ハ）市販の蓄光塗料を購入する。
（ニ）製作された花、又は草、玩具等に蓄光塗料を塗布する。
（ホ）あるいは、各種粘土に蓄光塗料の粉末を混合する。
（ヘ）蓄光塗料を塗布した花、草、玩具等を部屋又は庭の通路脇、玄関の入り口等に          置く。
本発明は、以上の構成よりなっている。
【図面の簡単な説明】
【０００７】
【図１】  蓄光塗料を塗布した花粘土の正面図
【符号の説明】
【０００８】  １  樹脂粘土、紙粘土、粘土の花粘土
２  蓄光塗料
【図１】
2007044473.tif 000003
(57)【要約】【課題】  浴槽より湯垢又は髪の毛を除去する方法は、従来、桶及び柄杓等で除去するか、お湯を大量に使用し、洗い流していた。また、１日〜２日お湯を捨てずに沸かし直しで、使用する家庭もあるため衛生上の問題や、見た目の課題も発生しているためである。【解決手段】  主として、髪の毛や垢等は水面上に浮きやすい性質があるため、その効果を狙ったものである。水面に浮いた物を、効率良く除去できれば、見た目の問題も解決し、抗菌フィルターとの組み合わせで衛生上の問題も同時に解決するものを提供する事ができる。【選択図】  図１
2007044471.tif 000002
【特許請求の範囲】
【請求項１】
浴槽の追い炊き機能付ボイラーを利用し、浴槽内の水面に浮いた髪の毛及び垢等をフィルター通して、浄化するようにした。
水位調整付フロートを利用し、常に水面付近に吸い込み口が、くるように設けた浄化装置。
【請求項２】
水位調整付フロート部におもちゃの象を取り入れ、象の鼻から吸い込みを設けた請求項１記載の浄化装置。
【発明の詳細な説明】
【技術分野】
【０００１】本発明は、一般家庭の浴槽のごみを取る浄化装置に関する。
【背景技術】
【０００２】  従来のお風呂は、人が使用するたび、湯面に髪の毛及び垢等が浮上し、桶又は柄杓等で除去していた。本発明は、ボイラーの保温または、追い炊き機能を利用し、ボイラーの循環する力を有効活用し、髪の毛及び湯垢をフィルターに通して、浄化するようにしたものである。
【発明の開示】
【発明が解決しようとする課題】
【０００３】  従来は、人の手によって浴槽内から、湯垢又は髪の毛を除去する必要があった。また、入浴中か、否かによって浴槽内の湯面は、常に変動するため、湯面に合わせて上下するフロートも必要であった。
【課題を解決するための手段】
【０００４】  本発明は、上記目的を達成するために自動的に湯垢又は髪の毛を除去し、フィルターでボイラー内に髪の毛等の進入を防ぐものである。【０００５】  また、第２の課題解決手段は、象の形をしたフロートを配置する構成としたものである。
【発明の効果】
【０００６】  上述したように本発明のゴミとるゾウくんは、入浴中、否かに関わらず自動的に湯垢、髪の毛を除去して次に入浴する人は、きれいな風呂に入浴する事を提供できる。
【発明を実施するための最良の形態】
【０００７】  以下、本発明の実施の形態を図１に基づいて説明する。【０００８】  図においては、１はフロート付で、水を鼻部分より吸引するマスコットのゾウくんからスライド式パイプを通りフィルターを通過、ボイラーへと吸い込まれ、再び浴槽へと戻る。
【図面の簡単な説明】
【０００９】
【図１】  ゴミとるゾウくんの横方から見た外観図
【符号の説明】
【００１０】１．フロート付マスコットのゾウくん
２．上下スライド式パイプ
３．フィルター収納容器
４．フィルター
５．ボイラー吸い込み口
６．ボイラーからのお湯出口
【図１】
2007044471.tif 000003
(57)【要約】【課題】本発明は、ゴルフのティーを保持するときに用いられる用具である。  通常、ゴルフティーはズボンのポケットに入れて保持する人が多いが、取り出しにくく、またティーに付着する土などでズボンが汚れることが多い。  ゴルフティーの保持具も各種考案されているが、保持具自体の装着やティーの取り出しなどに不便なものが多い。そこで、より簡単にゴルフティーを保持、使用でき、ゴルフプレーの邪魔にもならず、抜け落ちにくいゴルフティー保持具を提供する。【手段】箱体の内部に設けられた弾力性のあるスポンジ体の隙間にティーを挟むことによって、より簡単にゴルフティーを保持、使用できるように工夫した。  また、箱体の外側の片面にバネ体を設け、衣服や帽子などに挟み込むことができるようにする。  本発明は、以上の構成によるゴルフティーを保持する用具である。【選択図】図１
2007044474.tif 000002
【特許請求の範囲】
【請求項１】
ゴルフティーを差し込み、保持するための用具で、箱体の内部にスポンジ体（スポンジ状の弾力性のある素材）を用いることによって、ゴルフティーを簡単に差し込むことができ、かつ抜けにくいように工夫したゴルフティー保持具。
【請求項２】
ゴルフティーを差し込むための箱体の一面にバネ体を付属して、衣服や帽子などに挟んで携帯できるように工夫したゴルフティー保持具。
【発明の詳細な説明】
【技術分野】
【０００１】  本発明は、ゴルフのティーを簡単に差し込んで保持するための用具に関するものである。
【背景技術】
【０００２】  従来、ゴルフのティーはズボンのポケットに入れて保持することが多く、ズボンが汚れたり、必要な長さのティーを取り出すのに不便であった。ゴルフティーの保持具も各種考案されているが、ゴルフティーが抜け落ちたり、衣服などへの装着が不便なものが多い。
【発明の開示】
【発明が解決しようとする課題】
【０００３】  本発明はゴルフティーをより簡便に差し込んで保持することができ、なおかつ抜けにくく、衣服などへの装着も簡単にできるよう工夫したものである。
【課題を解決するための手段】
【０００４】  本体は、片面にバネ体を設けた箱体の内側に、中心部に隙間のあるスポンジ体（スポンジ状の弾力性のある素材）を装着し、その隙間にゴルフティーを挟み込むことができるよう工夫したものである。
【発明の効果】
【０００５】  本発明を使用することにより、簡単にゴルフティーを保持し、使用することができる。
【発明を実施するための最良の形態】
【０００６】  以下、本発明の実施の形態を説明する。
（イ）箱体（１）の内部にスポンジ体（２）を設ける。
（ロ）スポンジ体（２）の中心部に隙間（５）を設ける。
（ハ）箱体（１）の外側の片面にバネ体（３）を設ける。
本発明は、以上の構成よりなる。
本発明を使用するときは、（１）を（３）によって衣服や帽子などに挟み込み、（２）の隙間（５）にゴルフティー（４）を差し込んで保持する。
【図面の簡単な説明】
【０００７】
【図１】本発明の斜視図
【図２】本発明の正面図
【図３】本発明の左側面図
【図４】本発明のＡ−Ａ断面図
【図５】本発明の底面図
【符号の説明】
【０００８】  （１）箱体、（２）スポンジ体、（３）バネ体、（４）ゴルフティー、（５）隙間
【図１】
2007044474.tif 000003
【図２】
2007044474.tif 000004
【図３】
2007044474.tif 000005
【図４】
2007044474.tif 000006
【図５】
2007044474.tif 000007
(57)【要約】      （修正有）【課題】注ぐときに注ぎ口から飛び出さないティーバックを提供する。【解決手段】ティーバック１は、多孔質な特性を生かした濾紙により形成し、該ティーバック１内部に、麦茶、紅茶、コーヒー等の原料２と浮き３（発泡スチロール等）を分割して入れコルゲート接着等で封入し構成している。【選択図】図１
2007044475.tif 000002
【特許請求の範囲】
【請求項１】
麦茶、紅茶、コーヒー等のティーバックにあって、一般に市販されている注ぎ口の細い、瓶やペットボトル等でも容易に入るサイズを要したティーバックの片側の端に、浮力を持った素材を封入したことを特徴とするティーバック。
【発明の詳細な説明】
【発明が属する技術分野】
【０００１】本発明は、麦茶、紅茶、コーヒー等のティーバックに関するものである。
【背景技術】
【０００２】現在市販されているティーバックはそれぞれ専用の容器での使用を前提としており、多少のサイズ違いはあるものの、注ぎ口の小さな瓶やペットボトルに入るサイズのものはない。
【発明が解決しようとする課題】
【０００３】現在市販されているティーバックの多くは、それぞれ専用の容器を用いるものが大半であり、中身を使用後の空き瓶やペットボトル等を利用できるサイズのものがないが、これら空き瓶やペットボトルをリサイクル利用可能にするものである。しかし、ただ細口の瓶やペットボトルに入るようにしただけでは、瓶やペットボトルの中に入れた後、それらの瓶等を立てた状態であれば水分を含んだティーバックは底の方に沈んでいるが、特に中身が少なくなった状態でカップ等に注ぐために瓶等を大きく傾けた場合、水分を含んで重くなったティーバックは、注ぎ口から中身と一緒に瓶等の注ぎ口から飛び出してしまう問題が起こる。
【課題を解決する手段】
【０００４】本発明では、水分を含んだティーバックが瓶等を大きく下に向けて傾けても、注ぎ口から外に飛び出さないよう、ティーバックの片側に浮力を持った素材を封入してある。
【０００５】前記のように、ティーバックに浮力を持たせることにより、瓶等を大きく下に向けて中身をカップ等に注いでも、浮力を設けたティーバックは、常に瓶等の中身の液面よりも上へ移動するので、中身が完全に無くなるまでは注ぎ口から飛び出してくることはない。
【０００６】以上のように、本来空になると廃棄していた瓶やペットボトル等を再利用することができ、環境問題や貴重な資源の再利用に繋がり大変有益である。
【発明の実施と形態】
【０００７】本発明の構成を図１によって説明する。
ティーバック１は、多孔質な特性を生かした濾紙により形成し、該ティーバック１内部に、麦茶、紅茶、コーヒー等の原料２と浮き３（発泡スチロール等）を分割して入れコルゲート接着等で封入し構成している。
【実施例】
【０００８】本発明の実施例を図２によって説明する。
飲料用の水４、叉は温水を瓶５の注入口より適量注入し、該瓶５等の注入口より、作りたい原料２を封入したティーバック１を投入し、一定時間経過後、飲料水として使用する。【０００９】前記飲料水４を、カップ等に注ぐ場合瓶５を傾けるが、ティーバック１は、浮き３の作用によって飲料水４の液面上に常に浮かぶため、飲料水４が完全に無くなるまで瓶５注ぎ口から飛び出すことはない。
【発明の効果】
【００１０】本発明は、以上説明したような形態で実施され、以下に記載されるような効果を得られる。
【００１１】ティーバックは注ぎ口の、小さな瓶やペットボトルに入るサイズに形成されているので、広範囲な利用を可能にしている。
【００１２】ティーバックに形成した浮きにより飲料水が最後まで効果的に使用できる。
【００１３】本来空になると廃棄していた瓶やペットボトル等を再利用することができ、環境問題や貴重な資源の再利用に繋がり大変有益である。
【図面の簡単な説明】
【図１】本発明の、ティーバックを示す縦断面図。
【図２】本発明の、実施例を示す縦断面図。
【符号の説明】
１：ティーバック
２：原料（麦茶、紅茶、コーヒー等）
３：浮き
４：飲料水
５：瓶
【図１】
2007044475.tif 000003
【図２】
2007044475.tif 000004
(57)【要約】【課題】従来、充電式電動歯ブラシは歯ブラシ部を上にして充電器にセットし、充電していた。この事で水分が電動歯ブラシ本体内に浸入し配線腐食や漏電の原因となり、耐久性がなかった。【解決の手段】充電式電動歯ブラシの歯ブラシ部を下に、電源ユニット（蓄電池）や充電ユニットを上になるように配置した充電式電動歯ブラシ用充電スタンド。【選択図】        図２
2007044478.tif 000002
【特許請求の範囲】
【請求項１】
筐体内に蓄電池が内蔵され、蓄電池を誘導充電方式の非接触にて充電状態とする電動歯ブラシにおいて、充電中に置いては外部への動力取り出し部を充電ユニットの下部になるように配置した電動歯ブラシ用充電スタンド。
【発明の詳細な説明】
【技術分野】
【０００１】本発明は、歯ブラシ部をモータで駆動する形態の電動歯ブラシの充電スタンドに関するものである。
【背景技術】
【０００２】従来、電動歯ブラシ用充電スタンドは歯ブラシ部を上にして充電する構造となっていた。その理由は
▲１▼充電ユニット部、畜電池部がいずれも重量がかさむものであり、下部に配置した方が安定性が良い。
▲２▼歯ブラシ部を上にした方が乾燥し易く、清潔である。
【発明の開示】
【発明が解決しようとする課題】
【発明が解決しようとしている課題】
【０００３】  従来の電動歯ブラシには、下記の問題点があった。
１、歯ブラシ部１を上にして充電するため、従来の製品様に歯ブラシ部１を上、動力取り出し部１５を下に配置した構造では歯ブラシ部１に保持された磨き粉や水分は動力取り出し部１５に停留する。
２、電動歯ブラシの畜電池部７は歯ブラシ使用時は放電、充電スタンド１３にセットした時には充電をくり返す。畜電池部７は充電中にはその温度が上昇し、充電完了と共に次第に温度が下がりいずれ室温に戻る。つまり、充放電を繰り返す事により畜電池部７は室温と高温状態を繰り返すことになる。その結果筐体１４内の圧力は変動し、動力取り出し部１５に停留する水分は次第次第に内部に吸い込まれる。その結果、動力取り出し軸４周辺に付着している磨き粉や水分が動力取り出し部１５から筐体１４内に流入し、配線の腐食や漏電の原因になる。
３、一般に密閉された空間内で動作する機構部品はジュール熱や摩擦熱でその空間の温度を上昇させる。このことは内部の気体が膨張することになり密閉空間を形成する筐体１４内の圧力を上昇させ、ひいては破裂させる事になる。これを防ぐ為に一般にはこの空間（筐体１４）と外部とをつなぐ穴を貫通させる。この穴のことをブリーザー（空気穴）と呼ぶ。
４、電動歯ブラシは水洗されるのでこういったブリーザーは設けることが出来ず、水分の侵入を防ぐ為、穴は設けない。又動力取り出し部１５も軸シール用のオーリング２等で密閉されている。
５、オーリング２はゴムで出来たドーナツ状の弾性体であるため、動力取り出し軸１５が揺動運動を繰り返せば摩耗をする。又、外気と筐体１４内の圧力差が大きければ弾性変形して外気と筐体１４内の圧力差を解消する。このことは外部の磨き粉や水分が筐体１４内に侵入する事になる。
【課題を解決する為の手段】
【０００４】  充電式電動歯ブラシを充電する場合に従来の様に充電ユニット８を下、歯ブラシ部１を上にセットするのでは無く、充電式電動歯ブラシの動力取り出し軸４が下、畜電池部７及び、充電ユニット８が上に来るようにセットし、充電時に筐体１４内の温度が上昇したり、充電完了後温度が室温に戻ったりして筐体１４内の圧力が変動しても、動力取り出し部１５周辺に停滞する磨き粉や水分が速やかに落下できる様にして筐体１４内に水分等が侵入しない構造とした。
【発明を実施するための最良の形態】
【０００５】本発明の実施例を、図１〜４を引用し、請求項１〜４の内容に沿って述べる。【０００６】図２は、本発明の充電式電動歯ブラシを充電状態にセットした断面図である。
図３の断面部分は蓄電池部７と充電ユニット８の勘合状態を示したものであり、一定方向にしかセット出来ないようになっている。（回転方向規制）
図５の歯ブラシ部１も動力取り出し軸４と勘合する構造になっているが一定方向（ブラシ部が上）に向くようにセットされる。（水抜き穴１１が下）
従って、歯ブラシを使用直後に充電ユニット８にセットした場合、歯ブラシ部１に残留する水分はそのまま下に落下し、筐体１４内に流入することは無い。
【図面の簡単な説明】
【図１】      従来の電動歯ブラシの充電スタンド１３にセットした状態図
【図２】      本発明の電動歯ブラシの充電スタンド１３にセットした状態図
【図３】      畜電池部７と充電ユニット８の充電中の勘合部断面図（Ａ−Ａ断面）
【図４】      電動歯ブラシの落下防止用突起部１０断面図（Ｂ−Ｂ断面）
【図５】      歯ブラシの勘合部断面図（Ｃ−Ｃ断面）
【符号の説明】
１：歯ブラシ部
２：シール部（オーリング）
３：電動モーター
４：動力取り出し軸
５：スイッチ
６：制御ユニット
７：電源ユニット（蓄電池部を含む）
８：充電ユニット
９：充電用勘合部
１０：落下防止用突起
１１：水抜き穴
１２：歯ブラシ勘合部
１３：充電スタンド
１４：筐体
１５：動力取り出し部
【図１】
2007044478.tif 000003
【図２】
2007044478.tif 000004
【図３】
2007044478.tif 000005
【図４】
2007044478.tif 000006
【図５】
2007044478.tif 000007
(57)【要約】【課題】買い物に出掛ける時に手提げ袋を持参出来る様にすることを目的とした、携帯用手提げ具を提供する。【解決手段】両端にフックを有し細長いベルト状の収納袋と該収納袋の長手方向に設けられた開閉手段と前記収納袋に収納される手提げ袋とよりなり、前記収納袋はフックをそれぞれ手提げ袋の取っ手に付ける事でショルダーバックとして利用出来るものであることを特徴とする携帯用手提げ具。【選択図】図２
2007044470.tif 000002
【特許請求の範囲】
【請求項１】
両端にフックを有し細長いベルト状の収納袋と、該収納袋の長手方向に設けられた開閉手段と、前記収納袋に収納される手提げ袋よりなり、前記収納袋はノックをそれぞれ手提げ袋の取っ手に取りつけることで、ショルダーバックとして利用出来る物である事を特徴とする携帯用手提げ具。
【請求項２】
収納袋が動物やキャラクター等の任意のマスコット形状となったものであることを特徴とする請求項１記載の携帯用手提げ具。
【発明の詳細な説明】
【技術分野】
【０００１】  本発明は、買い物に出かける時に忘れることなく、必ず手提げ袋を持参できるようにすることを目的とした手提げ具に関するものである。
【背景技術】
【０００２】従来、買い物袋として握り兼用ケース付携帯網状買い物袋はあった。（特許文献１参照）
【特許文献１】  登録実用新案第３０７７４１３号
【発明の開示】
【発明が解決しようとする課題】
【０００３】  そのために次のような問題点があった。
通常の買い物においては、買い物には袋の持参を各自治体、スーパー、デパート等で呼びかけているが、荷物になる、忘れ易い、煩わしい等あり行き渡っていないのが現状である。又、買い物袋をその都度貰う事により、資源の無駄使い、そのままゴミになり自然環境にも悪影響がある。握り兼用ケース付携帯網状買い物袋においては、携帯に便利である反面、使用時にすぐ取り出せない等問題がある。
本発明は以上の問題点を解決しようとするものである。
【課題を解決するための手段】
【０００４】  両端にフックを有し細長いベルト状の収納袋と該収納袋の長手方向に設けられた開閉手段と前記収納袋に収納される手提げ袋とよりなり前記収納袋はフックをそれぞれ手提げ袋の取っ手に取り付けることで、ショルダーバックとしても利用できるものであることを特徴とする携帯用手提げ具である。
【発明の効果】
【０００５】  手提げ袋を邪魔になることなく常に携帯できるとともに、手提げ袋の取っ手に取り付ける事で、ショルダーバックとしても利用できる。又、ベルト状の収納袋を動物やキャラクター等の任意のマスコット形状とすることにより、携帯性を増しバックやベルトループ等に取り付けて常時持ち歩き易く、各自が買い物袋を持参することにより資源の有効利用、省エネにつながる。
【発明を実施するための最良の形態】
【０００６】  以下、本発明の実施の形態を説明する。
収納袋（１）は図１に示すように両端に接続ベルト（４）を有する袋本体（１）と袋本体の長手方向に設けられたファスナー（３）と収納袋両端に設けられたフック部材（６）から構成される。袋本体（１）は細長いベルト状で開口部にはファスナー（３）が付けられていて、スライダーにより開閉するようになっている。
この袋本体の接続ベルト（４）の先には、回動部（５）を有したフック部材（６）が、設けられている。
フック部材（６）は先がカギ状になっていて、可動式のツメが付いている。この収納袋（１）に収納される手提げ袋（２）は、長方形状の一辺に取っ手（７）が付いている。これを棒状に細長く丸めることによりベルト状の収納袋（１）に納まる。
本発明は、以上の構造よりなっている。
本発明を使用するときは鞄等にフック部材（６）を掛け図３のように携帯用マスコットとして、常時吊り持ち、手提げ袋使用時は、収納袋（１）より手提げ袋（２）を取りだしファスナー（３）を閉める。図４のように買い物袋として使う。又、収納袋（１）は手提げ袋（２）の取っ手にフック部材（６）を掛ける事によりショルダー形式にすることも出来る。又収納袋（１）が動物やキャラクター等の任意のマスコット形状にする事もできる。
【図面の簡単な説明】
【０００７】
【図１】本発明の斜視図
【図２】本発明の一部を開けた斜視図
【図３】本発明の携帯状態を示す斜視図
【図４】本発明の使用状態を示す斜視図
【符号の説明】
【０００８】    １  収納袋
２  手提げ袋
３  ファスナー
４  接続ベルト
５  回動部
６  フック部材
７  取っ手
８  鞄
【図１】
2007044470.tif 000003
【図２】
2007044470.tif 000004
【図３】
2007044470.tif 000005
【図４】
2007044470.tif 000006
(57)【要約】【課題】  従来は、干した洗濯物が人の目に触れてしまい、個人のプライバシーを守れなかった。また、色々な種類の洗濯物を密集して干すので見た目によくなかった。  以上のような欠点をなくすために、カーテンをかけられる洗濯物干しハンガーを提供する。【解決手段】  洗濯物干しハンガーの周りにカーテンレール（１）を一体化形成する。カーテンレールに複数個のランナー（２）を入れて、カーテンをかけられる事を特徴とする。【選択図】図１
2007044553.tif 000002
【特許請求の範囲】
【請求項１】
洗濯物干しハンガーの周りにカーテンレールを一体化形成して、カーテンレールに複数個のランナーをいれてなる、カーテンをかけられる洗濯物干しハンガー。
【発明の詳細な説明】
【技術分野】
【０００１】  この発明は、洗濯物干しハンガーの周りにカーテンレールを一体化形成して、カーテンレールに複数個のランナーを入れてなる、カーテンをかけられる洗濯物干しハンガーに関するものである。
【背景技術】
【０００２】  従来の洗濯物干しハンガーは、カーテンをかけられる構造になっていない。
【発明の開示】
【発明が解決しようとする課題】
【０００３】  これは次のような問題点があった。
干した洗濯物が人の目に触れてしまい、個人のプライバシーを守れなかった。また、色々な種類の洗濯物を密集して干すので、見た目によくなかった。
本発明は、以上のような欠点をなくすためになされたものである。
【課題を解決するための手段】
【０００４】  洗濯物干しハンガーの周りにカーテンレールを一体化形成して、カーテンレールに複数個のランナーを入れる。
以上の構造よりなる、カーテンをかけられる洗濯物干しハンガーである。
【発明の効果】
【０００５】  洗濯物干しハンガーにカーテンをかけられるので、干した洗濯物が見えなくなり個人のプライバシーを守れる。また、見た目に綺麗である。
【発明を実施するための最良の形態】
【０００６】  以下、本発明の実施例について説明する。
洗濯物干しハンガーの周りにカーテンレール（１）を一体化形成して、カーテンレールに複数個のランナー（２）を入れる。
本発明は、以上のような構造でカーテンをかけられる。
【図面の簡単な説明】
【０００７】
【図１】本発明の斜視図である。
【図２】図１のα線の断面図である。
【符号の説明】
【０００８】１  カーテンレール
２  ランナー
３  洗濯バサミ
【図１】
2007044553.tif 000003
【図２】
2007044553.tif 000004
(57)【要約】【課題】金属製スクリーン１によってスクリーン印刷版を製造するスクリーン印刷版の製造方法において、製版および印刷のとき、接着性、ハレーション防止性およびインキ透過性が向上し、しかも、素材特性がそこなわれず、金属製スクリーン１が破損しないようにする。【解決手段】金属製スクリーン１に空気の減圧が作用し、空気の減圧によって粒子４が送られ、これがスクリーン１の表面に衝突し、粒子４によってスクリーン１の表面が研削される。そして、そのスクリーン１によってスクリーン印刷版が製造される。【選択図】図１
2007044902.tif 000002
【特許請求の範囲】
【請求項１】
金属製スクリーンに空気の減圧を作用させ、前記空気の減圧によって粒子を推進させ、これをスクリーンの表面に衝突させ、前記粒子によって前記スクリーンの表面を研削し、そのスクリーンによってスクリーン印刷版を製造することを特徴とするスクリーン印刷版の製造方法。
【請求項２】
前記粒子に角のあるものを使用し、これを前記スクリーンの表面に衝突させ、前記粒子によって前記スクリーンの表面を研削し、その後、前記粒子に丸いものを使用し、これを前記スクリーンの表面に衝突させ、前記粒子によって前記スクリーンの表面をならし、均一化することを特徴とする請求項１に記載の製造方法。
【請求項３】
丸い粒子は角のある粒子よりも小さいことを特徴とする請求項２に記載の製造方法。
【発明の詳細な説明】
【技術分野】
【０００１】
この発明は、金属製スクリーンによってスクリーン印刷版を製造するスクリーン印刷版の製造方法に関するものである。
【背景技術】
【０００２】
スクリーン印刷版の製造方法が特許第３５１６８８２号公報（特許文献１）に記載されている。同公報の製造方法では、金属製スクリーンによってスクリーン印刷版が製造される。さらに、同公報の製造方法では、空気の加圧によって粒子が推進し、これがスクリーンの表面に衝突し、粒子によってスクリーンの表面が研削される。これはサンドブラスト処理と呼ばれているところのものである。そして、スクリーンの表面の研削後、そのスクリーンによってスクリーン印刷版が製造される。この結果、製版および印刷のとき、接着性、ハレーション防止性およびインキ透過性が向上する。
【０００３】
ところで、金属製スクリーンはじん性、強度などの素材特性をもつが、空気の加圧によって粒子を推進させると、その速度が相当高く、それがスクリーン表面に衝突したとき、その衝撃は相当大きい。このため、スクリーンの表面が深く研削され、これによって素材特性がそこなわれることはさけられず、金属製スクリーンが破損しやすいという問題がある。
【０００４】
したがって、この発明は、金属製スクリーンによってスクリーン印刷版を製造するスクリーン印刷版の製造方法において、製版および印刷のとき、接着性、ハレーション防止性およびインキ透過性が向上し、しかも、素材特性がそこなわれず、金属製スクリーンが破損しないようにすることを目的としてなされたものである。
【特許文献１】特許第３５１６８８２号公報
【発明の開示】
【０００５】
この発明によれば、金属製スクリーンに空気の減圧が作用し、空気の減圧によって粒子が推進し、これがスクリーンの表面に衝突し、粒子によってスクリーンの表面が研削される。そして、そのスクリーンによってスクリーン印刷版が製造される。
【０００６】
さらに、好ましい実施例では、粒子に角のあるものが使用され、これがスクリーンの表面に衝突し、粒子によってスクリーンの表面が研削される。その後、粒子に丸いものが使用され、これがスクリーンの表面に衝突し、粒子によってスクリーンの表面がならされ、均一化される。
【０００７】
丸い粒子は角のある粒子よりも小さいことが好ましい。
【発明を実施するための最良の形態】
【０００８】
以下、この発明の実施例を説明する。
【０００９】
図１はこの発明にかかるスクリーン印刷版の製造方法を示す。この実施例では、金属製スクリーン１がダクト２内に収容され、ダクト２は垂直に配置され、金属製スクリーン１は水平に配置される。さらに、ファン３がダクト２の下端に設けられ、ダクト２内において、ファン３によって空気が吸引される。したがって、金属製スクリーン１に空気の減圧が作用する。
【００１０】
さらに、ダクト２の上端において、適宜の手段によって粒子４が散布される。したがって、空気の減圧によって粒子４が推進し、これがスクリーン１の表面に衝突し、粒子４によってスクリーン１の表面が研削され、サンドブラスト処理される。
【００１１】
粒子４の材質および大きさは特に限定されない。アルミナ、プラスチック、ガラス、カーボンなどの材質のものを粒子４として使用することができ、その大きさは１００〜２，０００メッシュであればよいことは特許第３５１６８８２号公報のものと同様である。
【００１２】
さらに、この実施例では、粒子４に角のあるものが使用され、これがスクリーン１の表面に衝突し、粒子４によってスクリーン１の表面が研削される。その後、粒子４に丸いものが使用され、これがスクリーン１の表面に衝突し、粒子４によってスクリーン１の表面がならされ、均一化される。
【００１３】
丸い粒子は角のある粒子よりも小さい。この実施例では、丸い粒子は角のある粒子のおよそ１／３の大きさである。
【００１４】
さらに、その後、そのスクリーン１がダクト２から取り出され、型枠に張られる。その後、特許第３５１６８８２号公報のものと同様、感光性乳剤が型枠のスクリーン１に塗布され、感光性乳剤によって感光性樹脂層が形成され、露光によって潜像画像が形成され、現像によって画像層が形成され、これによってスクリーン印刷版が製造される。
【００１５】
したがって、この製造方法の場合、スクリーン１の表面の研削後、そのスクリーン１によってスクリーン印刷版が製造される。この結果、製版および印刷のとき、接着性、ハレーション防止性およびインキ透過性が向上する。
【００１６】
さらに、金属製スクリーン１はじん性、強度などの素材特性をもつが、特許第３５１６８８２号公報のものと異なり、空気の加圧ではなく、空気の減圧によって粒子４が推進する関係上、その速度が比較的低く、それがスクリーン１の表面に衝突したとき、その衝撃は比較的小さい。したがって、スクリーン１の表面が浅く研削される。この結果、素材特性がそこなわれることはなく、金属製スクリーン１が破損することはない。
【００１７】
さらに、スクリーン１の表面が研削されるとき、粒子４に角のあるものが使用され、これがスクリーン１の表面に衝突する。したがって、粒子４がスクリーン１の表面にかみ込み、その研削効果は高い。
【００１８】
その後、丸い粒子４が使用され、スクリーン１の表面がならされ、均一化されることも前述したとおりである。この結果、製版および印刷のとき、りけい性、すべり性および濡れ性が向上し、好ましい。
【００１９】
丸い粒子は角のある粒子よりも小さいことも前述したとおりである。この結果、研削するとき、その研削効果を保ち、均一化するとき、研削された部分において、それを精密に均一化することができる。
【図面の簡単な説明】
【００２０】
【図１】この発明の実施例を示す説明図である。
【符号の説明】
【００２１】
１  スクリーン
２  ダクト
３  ファン
４  粒子
【図１】
2007044902.tif 000003